(57)【要約】【課題】  広告を適切に一般消費者に配布する。【解決手段】  管理サーバ１は、広告媒体に記録されていたアドレスを指定したアクセス要求に応答して、ユーザ情報の入力を受け付けてユーザ情報データベース１３に登録する。また、管理サーバ１は、ユーザが所望する広告のジャンルの入力を受け付けて、そのジャンルを示す広告ジャンル情報をユーザ情報と関連付けてユーザ情報データベース１３に登録する。管理サーバ１は、ユーザ情報データベース１３から、広告配布対象の広告ジャンル情報及びユーザ情報を抽出し、抽出した広告ジャンル情報が示すジャンルの広告情報を、広告データベース１４から抽出し、その広告情報を媒体に印刷して広告媒体を生成する。そして、管理サーバ１は、生成された広告媒体を、抽出されたユーザ情報が示す広告の宛先に送付するための処理を行う。【選択図】  図１
2006154706.tif 000002
【特許請求の範囲】
【請求項１】
広告媒体に記録されていたアドレスを指定したアクセス要求に応答して、ユーザ情報の入力を受け付けてユーザ情報データベースに登録するユーザ情報登録部と、
ユーザが所望する広告のジャンルの入力を受け付けて、当該ジャンルを示す広告ジャンル情報を前記ユーザ情報と関連付けて前記ユーザ情報データベースに登録する広告ジャンル登録部と、
前記ユーザ情報データベースから、広告配布対象の広告ジャンル情報及びユーザ情報を抽出する抽出部と、
前記抽出された広告ジャンル情報が示すジャンルの広告情報を、広告データベースから抽出する広告抽出部と、
前記抽出された広告情報を媒体に印刷して広告媒体を生成する広告媒体生成部と、
前記生成された広告媒体を、前記抽出されたユーザ情報が示す広告の宛先に送付するための処理を行う送付処理部と、
を備えることを特徴とする配布広告管理システム。
【請求項２】
前記広告媒体は、ポケットティッシュを含む、
ことを特徴とする請求項１に記載の配布広告管理システム。
【請求項３】
前記広告ジャンル登録部は、広告媒体として提供可能な複数の物品を提示して、当該複数の物品からユーザが希望する物品を選択させ、
前記登録部は、ユーザにより選択された物品を示す提供品情報を前記ユーザ情報に関連付けて前記ユーザ情報データベースに登録する、
ことを特徴とする請求項１に記載の配布広告管理システム。
【請求項４】
広告媒体に記録されていたアドレスを指定したアクセス要求に応答して、ユーザ情報の入力を受け付けてユーザ情報データベースに登録するステップと、
ユーザが所望する広告のジャンルの入力を受け付けて、当該ジャンルを示す広告ジャンル情報を前記ユーザ情報と関連付けて前記ユーザ情報データベースに登録するステップと、
前記ユーザ情報データベースから、広告配布対象の広告ジャンル情報及びユーザ情報を抽出するステップと、
前記抽出された広告ジャンル情報が示すジャンルの広告情報を、広告データベースから抽出するステップと、
前記抽出された広告情報を媒体に印刷して広告媒体を生成するステップと、
前記生成された広告媒体を、前記抽出されたユーザ情報が示す広告の宛先に送付するステップと、
を備えることを特徴とする配布広告管理方法。
【請求項５】
コンピュータに、
広告媒体に記録されていたアドレスを指定したアクセス要求に応答して、ユーザ情報の入力を受け付けてユーザ情報データベースに登録するステップ、
ユーザが所望する広告のジャンルの入力を受け付けて、当該ジャンルを示す広告ジャンル情報を前記ユーザ情報と関連付けて前記ユーザ情報データベースに登録するステップ、
前記ユーザ情報データベースから、広告配布対象の広告ジャンル情報及びユーザ情報を抽出するステップと、
前記抽出された広告ジャンル情報が示すジャンルの広告情報を、広告データベースから抽出するステップ、
前記抽出された広告情報を媒体に印刷して広告媒体を生成するステップ、
前記生成された広告媒体を、前記抽出されたユーザ情報が示す広告の宛先に送付するための処理を行うステップ、
を実行させるためのプログラムを記憶するコンピュータ読み取り可能な記録媒体。
【請求項６】
コンピュータに、
広告媒体に記録されていたアドレスを指定したアクセス要求に応答して、ユーザ情報の入力を受け付けてユーザ情報データベースに登録するステップ、
ユーザが所望する広告のジャンルの入力を受け付けて、当該ジャンルを示す広告ジャンル情報を前記ユーザ情報と関連付けて前記ユーザ情報データベースに登録するステップ、
前記ユーザ情報データベースから、広告配布対象の広告ジャンル情報及びユーザ情報を抽出するステップと、
前記抽出された広告ジャンル情報が示すジャンルの広告情報を、広告データベースから抽出するステップ、
前記抽出された広告情報を媒体に印刷して広告媒体を生成するステップ、
前記生成された広告媒体を、前記抽出されたユーザ情報が示す広告の宛先に送付するための処理を行うステップ、
を実行させるためのプログラムを表す、搬送波に埋め込まれたコンピュータデータ信号。
【発明の詳細な説明】
【技術分野】
【０００１】
本発明は、ユーザへ配布される広告を管理するための配布広告管理システム、方法等に関する。
【背景技術】
【０００２】
従来、ポケットティッシュのような広告媒体は、広告主から依頼を受けた配布者が、路上で行き来する通行人である受領者に無差別に配布されていた。このため、適切な広告を適切な受領者（一般消費者）に配布することが困難であった。
また、広告主は、広告の配布に際して配布者に依頼してポケットティッシュを配布するため、広告の提供ごとに人件費のコストが必ず掛かっていた。
さらに、受領者が本来欲しい広告へのアクセスも、配布者が路上で行き来する通行人である受領者に無差別に配布するのみでは一方的であり、本当に自分の欲しい広告が掲載されたポケットティッシュを受け取らない限り、広告媒体としての機能が発揮されずにいた。
また、例えば広告情報を購読者に提供するシステムがある（特許文献１）。しかし、このシステムは、配布された広告媒体の購読者がコンピュータから所定のウェブページにアクセスして、広告データを検索して受信するものであって、広告が記載されたポケットティッシュ等の広告媒体を広告内容に応じて適切な消費者に配布するためのものではない。
【０００３】
【特許文献１】特開２００３−１９６５３３号公報（第４、５頁、第１図）
【発明の開示】
【発明が解決しようとする課題】
【０００４】
本発明は上述のごとき実情に鑑みてなされたものであり、広告を適切に消費者に配布するための配布広告管理システム及び方法等を提供することを目的とする。
【課題を解決するための手段】
【０００５】
上記目的を達成するため、この発明の第１の観点にかかる配布広告管理システムは、
広告媒体に記録されていたアドレスを指定したアクセス要求に応答して、ユーザ情報の入力を受け付けてユーザ情報データベースに登録するユーザ情報登録部と、
ユーザが所望する広告のジャンルの入力を受け付けて、当該ジャンルを示す広告ジャンル情報を前記ユーザ情報と関連付けて前記ユーザ情報データベースに登録する広告ジャンル登録部と、
前記ユーザ情報データベースから、広告配布対象の広告ジャンル情報及びユーザ情報を抽出する抽出部と、
前記抽出された広告ジャンル情報が示すジャンルの広告情報を、広告データベースから抽出する広告抽出部と、
前記抽出された広告情報を媒体に印刷して広告媒体を生成する広告媒体生成部と、
前記生成された広告媒体を、前記抽出されたユーザ情報が示す広告の宛先に送付するための処理を行う送付処理部と、
を備えることを特徴とする。
【０００６】
また、この発明の第２の観点にかかる配布広告管理方法は、
広告媒体に記録されていたアドレスを指定したアクセス要求に応答して、ユーザ情報の入力を受け付けてユーザ情報データベースに登録するステップと、
ユーザが所望する広告のジャンルの入力を受け付けて、当該ジャンルを示す広告ジャンル情報を前記ユーザ情報と関連付けて前記ユーザ情報データベースに登録するステップと、
前記ユーザ情報データベースから、広告配布対象の広告ジャンル情報及びユーザ情報を抽出するステップと、
前記抽出された広告ジャンル情報が示すジャンルの広告情報を、広告データベースから抽出するステップと、
前記抽出された広告情報を媒体に印刷して広告媒体を生成するステップと、
前記生成された広告媒体を、前記抽出されたユーザ情報が示す広告の宛先に送付するステップと、
を備えることを特徴とする。
【０００７】
また、この発明の第３の観点にかかるコンピュータ読み取り可能な記録媒体は、
コンピュータに、
広告媒体に記録されていたアドレスを指定したアクセス要求に応答して、ユーザ情報の入力を受け付けてユーザ情報データベースに登録するステップ、
ユーザが所望する広告のジャンルの入力を受け付けて、当該ジャンルを示す広告ジャンル情報を前記ユーザ情報と関連付けて前記ユーザ情報データベースに登録するステップ、
前記ユーザ情報データベースから、広告配布対象の広告ジャンル情報及びユーザ情報を抽出するステップ、
前記抽出された広告ジャンル情報が示すジャンルの広告情報を、広告データベースから抽出するステップ、
前記抽出された広告情報を媒体に印刷して広告媒体を生成するステップ、
前記生成された広告媒体を、前記抽出されたユーザ情報が示す広告の宛先に送付するための処理を行うステップ、
を実行させるためのプログラムを記憶する。
【０００８】
また、この発明の第４の観点にかかる搬送波に埋め込まれたコンピュータデータ信号は、
コンピュータに、
広告媒体に記録されていたアドレスを指定したアクセス要求に応答して、ユーザ情報の入力を受け付けてユーザ情報データベースに登録するステップ、
ユーザが所望する広告のジャンルの入力を受け付けて、当該ジャンルを示す広告ジャンル情報を前記ユーザ情報と関連付けて前記ユーザ情報データベースに登録するステップ、
前記ユーザ情報データベースから、広告配布対象の広告ジャンル情報及びユーザ情報を抽出する抽出部と、
前記抽出された広告ジャンル情報が示すジャンルの広告情報を、広告データベースから抽出するステップ、
前記抽出された広告情報を媒体に印刷して広告媒体を生成するステップ、
前記生成された広告媒体を、前記抽出されたユーザ情報が示す広告の宛先に送付するための処理を行うステップ、
を実行させるためのプログラムを表す。
【発明の効果】
【０００９】
本発明によれば、適切な広告情報を、必要とする一般消費者に配布することができる。
【発明を実施するための最良の形態】
【００１０】
以下、本発明の実施形態に係る配布広告管理システムを、図面を参照して説明する。
本実施形態に係る配布広告管理システムの構成を図１に例示する。図示されるように、配布広告管理システムは、管理サーバ１と印刷装置３を備え、管理サーバ１は、インターネット等のネットワーク１０を介してユーザ端末５と接続されている。
管理サーバ１のハードウェア構成を図２に示す。管理サーバ１は、例えば、制御部２１と、記憶部２２と、入力部２３と、表示部２４と、通信制御部２５と、を備えるコンピュータから構成され、印刷装置３と接続されている。
【００１１】
制御部２１は、ＣＰＵ等から構成され、記憶部２２に予め記憶された動作プログラム等を読み込んで実行することにより、情報登録部１１、広告媒体生成部１２、送付処理部１５、を論理的に実現する。
【００１２】
情報登録部１１は、管理サーバ１が提供するウェブサイトのアドレスを指定した要求に応答して、ユーザに関するユーザ情報を受け付けて登録する処理を行う。本実施形態では、管理サーバ１が提供するウェブサイトを特定するアドレス情報（例えば、ＵＲＬ等）が、ポケットティッシュ等の広告媒体に記載されている。そして、その広告媒体が、例えば路上の通行人等のような一般消費者に配布される。広告媒体には、ウェブサイトへのアクセスすることで広告の配布が受けられることも記載されている。広告媒体を受け取った一般消費者は、広告の配布を受けたい場合、ユーザ端末５を用いて、広告媒体に記載されているアドレスにアクセスする。情報登録部１１は、管理サーバ１が提供するウェブサイトのアドレスを指定した要求をユーザ端末５から受信すると、所定のウェブページ（ホームページ）をユーザ端末５に送信する。そして、ウェブページから「ユーザ登録」が選択されると、これを示す通知に応答して、例えば、任意のユーザＩＤ、ユーザの氏名、住所、電話番号、メールアドレス、ＦＡＸ番号、年齢、性別等の個人情報の入力を受け付ける登録画面をユーザ端末５に送信する。情報登録部１１は、ユーザ登録画面に対する入力データを受信すると、受信データをユーザ情報として記憶部２２におけるユーザ情報データベース（ＤＢ）１３に登録する。そして、登録したユーザ情報に対するパスワードを発行し、そのパスワードを先に登録したユーザ情報に含まれるメールアドレス宛にユーザＩＤとともに送信するとともに、生成したパスワードをユーザ情報の一部として登録する。ユーザ情報ＤＢ１３に登録されるユーザ情報の一例を図３に示す。このユーザ情報のうち、ユーザの氏名、住所、メールアドレス、ＦＡＸ番号等の広告を配布する宛先に用いる情報を宛先情報とする。
【００１３】
また、情報登録部１１は、ウェブページから「配布広告登録」が選択されると、これを示す通知に応答して、ユーザＩＤとパスワードの入力画面をユーザ端末３に送信して、ユーザＩＤとパスワードの入力を受け付ける。そして、入力されたユーザＩＤとパスワードが、ユーザ情報ＤＢ１３に登録されていることを確認した後、ユーザが配布を希望する広告のジャンル（例えば、映画、音楽、スポーツ、ギフト、車、レストラン、ビューティ、コンピュータ、健康、求人、不動産、学習等）と、希望配布日（発送頻度を含む）の入力を受け付ける広告登録画面のデータをユーザ端末５に送信する。広告登録画面は、例えば図４に示すように、複数の広告ジャンル名からユーザが希望するものを選択させる入力欄と、らユーザが希望する配布日を選択させる入力欄と、を含んでもよい。情報登録部１１は、広告登録画面（図４参照）に対する入力データをユーザ端末５から受信すると、受信データに基づく広告ジャンル情報を生成してユーザ情報ＤＢ１３に登録する。広告ジャンル情報は、例えば図５に示すように、ユーザＩＤ、広告のジャンル、希望配布日、前回配布日等のデータを含む。広告ジャンル情報は、ユーザＩＤにより、ユーザ情報と関連付けられている。
【００１４】
広告媒体生成部１２は、ユーザ情報ＤＢ１３、広告情報ＤＢ１４に登録されているデータに基づいて広告媒体を生成するための処理を行う。具体的には、広告媒体生成部１２は、ユーザ情報ＤＢ１３に登録されている広告ジャンル情報が示す希望配布日や前回配布日と、内部時計から取得した今日の日付と、に基づいて、今日が広告配布日となる広告ジャンル情報及びこれに関連付けられているユーザ情報を抽出する。そして、抽出した広告ジャンル情報が示すジャンルの広告情報を、各ジャンルの広告情報がジャンル毎に登録されている広告情報データベース（ＤＢ）１４から読み出す。そして、読み出した広告情報から印刷データを生成し、生成した印刷データを広告の印刷要求とともに印刷装置３に送信して媒体に印刷させる。これにより、広告媒体が生成される。印刷される媒体は、例えば、ポケットティッシュ、ポケットティッシュに入れ込む紙等である。また、広告媒体生成部１２は、広告媒体のタイプ等に応じて、広告媒体の封入指示を印刷装置３に送信してもよい。
【００１５】
送付処理部１５は、広告媒体生成部１２により生成された広告媒体をユーザに送付するための処理を行う。具体的には、広告媒体生成部１２により抽出されたユーザ情報から広告の宛先を示す宛先情報（少なくとも、氏名と住所のデータ）を取り出して印刷データを生成し、生成した印刷データを宛先の印刷要求ともに印刷装置３に送信して封筒や宛先ラベルに印刷させる。
【００１６】
記憶部２２は、ＲＯＭ、ハードディスク等から構成され、制御部２１が実行する動作プログラム及び処理に必要な各種データを記憶する。また、記憶部２２は、ユーザ情報ＤＢ１３、広告ＤＢ１４を含む。ユーザ情報ＤＢ１３には、図３に例示するようなユーザ情報が記憶される。広告ＤＢ１４には、広告情報がジャンル毎にジャンル名やジャンルＩＤに関連付けられて記憶されている。広告情報は、例えば、広告主からの依頼に応じて生成され、広告ＤＢ１４に登録される。広告情報のデータ形式は任意であり、例えば、画像データ、テキストデータ等を含んでも良い。
【００１７】
入力部２３は、例えば、キーボード、ポインティング・デバイス等の入力装置から構成され、入力データを制御部２１に送信する。表示部２４は、例えば、ＬＣＤ（Liquid Crystal Display）等から構成され、制御部２１からの指示に従って各種画面等を出力する。通信制御部２５は、制御部２１からの指示に従って、ネットワーク１０を介した他の装置との通信を制御する。
【００１８】
印刷装置３は、例えば図６に示すように、印刷部３１と、媒体搬送部３２、媒体格納部３３、印刷物格納部３４を備え、管理サーバ１に接続されている。
印刷部３１は、ＣＰＵ、ＲＯＭ、ＲＡＭ等を含む。印刷部３１は、管理サーバ１からの印刷要求の受信に応答して、当該要求が示す印刷媒体の種別を媒体搬送部３２に通知し、媒体搬送部３２により搬送されてきた印刷媒体に、受信した印刷データを印刷し、印刷した媒体を媒体搬送部３２に供給する。具体的には、広告の印刷要求を受信した場合には、印刷部３１は、印刷媒体種別として「広告用」を通知し、宛先の印刷要求を受信した場合には印刷媒体種別として「宛先用」を通知する。媒体搬送部３２は、印刷媒体種別の通知を受けて、これに対応する媒体を媒体格納部３３から取り出して印刷部３１に搬送する。そして、広告や宛先の印刷データが印刷された各媒体を印刷部３１から受け取ると、その印刷媒体を媒体種別毎に印刷物格納部３４に排出する。
【００１９】
媒体格納部３３は、広告用の印刷媒体（封筒・宛先ラベル等）、広告用の印刷媒体（ポケットティッシュ等）等が媒体の種別毎に分けて格納されている。印刷物格納部３４は、広告が印刷された媒体、宛先が印刷された媒体等が、媒体の種別毎に分けて格納される。また、印刷部３１は、印刷要求とともに広告媒体の封入指示を受信した場合に、これを媒体搬送部３２に通知する。媒体搬送部３２は、この封入指示に対応する広告印刷済み媒体を所定領域に保持しておき、宛先が印刷された封筒を印刷部３１から取得すると、保持していた広告媒体を封筒に封入・封緘等して、印刷物格納部３４に排出してもよい。
【００２０】
ユーザ端末５は、一般消費者（ユーザ）が、広告の配布を受けるための情報を管理サーバ１に登録するためのものであり、ＰＤＡ、携帯電話機等の携帯端末やパーソナルコンピュータを含む。ユーザ端末５は、制御部、記憶部、表示部、入力部、通信制御部を備えるコンピュータから構成される。制御部は、ＣＰＵ等から構成され、記憶部に予め記憶された動作プログラム等を読み出して実行することにより、管理サーバ１にネットワーク１０を介して接続し、ユーザが広告の配布を受けるための所定情報の入力画面データを管理サーバ１から受信して表示部に表示する。そして、制御部は、入力画面に対するデータの入力を受け付け、入力されたデータを管理サーバ１に送信する。記憶部は、ＲＯＭ、ハードディスク等から構成され、制御部が実行する動作プログラム及び処理に必要な各種データを記憶する。表示部は、例えば、ＬＣＤ等から構成され、制御部からの指示に従って各種画面等を出力する。入力部は、例えば、キーボード、ポインティング・デバイス等の入力装置から構成され、入力データを制御部に送信する。通信制御部は、制御部からの指示に従って、ネットワーク１０を介した他の装置との通信を制御する。
【００２１】
次に、本発明の実施形態に係る配布広告管理システムの動作について説明する。
まず、ユーザ端末５からのアクセスに応答して、ユーザ情報や広告ジャンル情報をユーザ情報ＤＢ１３に登録する情報登録処理を図７を参照して説明する。
例えば、あるユーザＡが、管理サーバ１により提供されるウェブサイトのアドレスが記載されたポケットティッシュ等の広告媒体を受け取ったこととする。ユーザＡは、広告の配布を受けるために、広告媒体に記載されたアドレスをユーザ端末５に入力等する。これに応答して、ユーザ端末５は、入力されたアドレスにより特定されるコンピュータである管理サーバ１に対してアクセス要求を送信する。管理サーバ１の制御部２１は、このアクセス要求の受信に応答し、所定のウェブページ（ホームページ）をユーザ端末５に送信する（ステップＳ１）。
【００２２】
ユーザ端末５は、受信画面を表示し、例えば、ユーザＡが画面上の「ユーザ登録」をクリックする。ユーザ端末５は、「ユーザ登録」がクリックされたことを管理サーバ１に通知する。これに応答して、管理サーバ１は、ユーザＩＤ、ユーザの氏名、住所、メールアドレス、ＦＡＸ番号等の情報の入力を受け付けるユーザ登録画面のデータをユーザ端末５に送信する（ステップＳ２）。ユーザ端末５は、受信したユーザ登録画面を表示し、これに対して入力されたデータを管理サーバ１に送信する。
【００２３】
管理サーバ１の制御部２１は、受信データをユーザ情報としてユーザ情報ＤＢ１３に登録し、パスワードを発行する（ステップＳ３）。そして、発行したパスワードをユーザ情報の一部として登録するとともに、そのユーザ情報に含まれるメールアドレス宛に、ユーザＩＤと、発行したパスワードと、を送信する（ステップＳ４）。メールを受信したユーザＡは、ユーザ端末５を用いて、先のウェブページにアクセスし、ウェブページ上の「配布広告登録」をクリックする。ユーザ端末５は、「配布広告登録」がクリックされたことを管理サーバ１に通知する。
【００２４】
これに応答して、管理サーバ１の制御部２１は、ユーザＩＤとパスワードの入力を受け付けて、ユーザ情報１３に登録されていることをチェックした後、ユーザが希望する広告のジャンルと、広告の配布日と、を入力させる広告登録画面をユーザ端末５に送信する（ステップＳ５）。ユーザ端末５は、受信した広告登録画面を表示し、これに対する入力を受け付ける。例えば、ユーザＡが、レストランに関する広告が欲しい場合には、画面上で、ジャンル名「レストラン」のチェックボックスをチェックする。また、広告の配布として、毎月１日を希望する場合には、配布希望日「１日」、配布頻度「毎月」の各ボタンをチェックする。ユーザ端末５は、広告登録画面に対する入力データを管理サーバ１に送信する。
管理サーバ１の制御部２１は、受信データに基づく広告ジャンル情報を生成し、ユーザ情報ＤＢ１３に記憶する（ステップＳ６）。これにより、ユーザＡのユーザ情報と広告ジャンル情報が登録される。
【００２５】
次に、ユーザ情報ＤＢ１３に登録されている情報に基づいて広告媒体を生成等する広告媒体生成処理を図８を参照して説明する。
まず、管理サーバ１の制御部２１は、広告配布対象となる広告ジャンル情報及びこれに対応するユーザ情報をユーザ情報ＤＢ１３から抽出する（ステップＳ１１）。具体的には、制御部２１は、ユーザ情報ＤＢ１３に登録されている各広告ジャンル情報について、希望配布日が内部時計から取得した今日の日付と合致し、且つ配布頻度に「毎月」が設定されているもの、希望配布日が今日の日付を合致し、且つ配布頻度に「隔月」、前回配布日に二ヶ月前の日付がそれぞれ設定されているもの、を検索し、該当する広告ジャンル情報及びこれに関連付けられているユーザ情報を抽出する。次に、制御部２１は、抽出した広告ジャンル情報から一の広告ジャンル情報を処理対象データとして取り出し（ステップＳ１２）、取り出した広告ジャンル情報が示すジャンルに対応する広告情報を広告情報ＤＢ１４から読み出し、その印刷データを広告の印刷要求とともに印刷装置３に送信する（ステップＳ１３）。
【００２６】
これに応答して、印刷装置３は、広告用の印刷媒体（ポケットティッシュ等）に、受信した広告情報を印刷して、広告媒体を生成する。次に、制御部２１は、処理対象データである広告ジャンル情報に関連付けられているユーザ情報から宛先情報を取り出し、この印刷データを宛先の印刷要求とともに印刷装置３に送信する（ステップＳ１４）。また、制御部２１は、処理対象の広告ジャンル情報における「前回配布日」に今日の日付のデータを設定する（ステップＳ１５）。
【００２７】
一方、印刷装置３は、管理サーバ１からの宛先の印刷要求に応答して、宛先用の印刷媒体（封筒等）に、受信した宛先情報を印刷する。また、制御部２１が封入指示を印刷要求とともに送信した場合には、印刷装置３は、ステップＳ１３の印刷要求に応じて印刷した広告媒体を、ステップＳ１４の印刷要求に応じて宛先を印刷した封筒の口に搬送して封入・封緘等し、広告媒体が封入された封筒を排出する。次に、制御部は、ステップＳ１１で抽出した全ての広告ジャンル情報及びユーザ情報について処理が完了したかを判別し（ステップＳ１６）、完了していない場合（ステップＳ１６：ＮＯ）、ステップＳ１２に戻って次の広告ジャンル情報とユーザ情報について上述の処理を行う。また、抽出された全ての広告ジャンル情報とユーザ情報について処理が完了した場合（ステップＳ１６：ＹＥＳ）、本処理を終了する。
【００２８】
このようにして、ユーザが所望するジャンルの広告情報を印刷した広告媒体を生成するとともに、宛先情報の印刷等、その広告媒体をユーザに送付するための処理を行う。これにより、ユーザに対して、ユーザが希望する広告が印刷された広告媒体を届けることができる。なお、予め切手が貼付された封筒（又はバルクメールを利用してもよい）を媒体格納部３３に格納しておき、印刷物格納部３４の一部を郵便ポストとして用いてもよい。そして、印刷装置３が、広告媒体が封入され、封緘た封筒をこの印刷物格納部３４の郵便ポストに排出することにより、ユーザからの広告配布要求の受け付けから広告媒体の送付までの処理を本システムで行うことができる。
【００２９】
以上説明したように、本発明によれば、適切な広告情報を、必要とする一般消費者に配布することができ、また、広告提供側では、情報の伝達機能の向上を図りつつ、情報の提供ごとの人件費などのコストを削減できる。さらに、広告情報のアクセスも双方向に可能となり、一般消費者側の必要な情報の選択が容易になり、広告機能が格段に飛躍する。また、従来、無料で配布されているポケットティッシュ等の広告媒体には、風俗や高利貸しなど、他の人には見せたくない、嫌悪感を抱かれやすい広告が入っていることが多いため、その広告媒体が欲しくても手に取りにくい、または、家庭に持ち帰り難いということがあったが、本発明では、利用者が広告のジャンルを指定することができるため、利用者が安心して広告媒体を取得して携帯できる。
【００３０】
なお、広告が印刷される媒体は、ポケットティッシュに限定されず、例えば、ウェットティッシュ、油取り紙、ペン、Ｔシャツ、クーポン、チラシ、試供品、メモ用紙等でもよく、また、宝くじの過去記録や野球のスケジュール等の情報が記載された紙や物でもよい。
【００３１】
なお、本発明の実施形態は種々の変形や応用が適用可能である。
例えば、広告媒体の物品を複数種類用意して、ユーザに希望する物品をさらに選択させるようにしてもよい。この場合、情報登録部１１は、例えば図９に示すように、ユーザが希望する提供品の入力をさらに受け付ける広告登録画面のデータをユーザ端末５に送信する。選択可能な提供品は、例えば、ポケットティッシュ、ウェットティッシュ、油取り紙、ペン、Ｔシャツ、クーポン、宝くじの過去記録や野球のスケジュール等の情報が記載された紙や物等でもよい。このような広告登録画面（図９参照）に対する入力データをユーザ端末５から受信すると、受信データに基づく広告ジャンル情報を生成してユーザ情報ＤＢ１３に登録する。この場合の広告ジャンル情報は、例えば、ユーザＩＤ、広告のジャンル、希望配布日、前回配布日、提供品種別等のデータを含む。そして、広告媒体生成部１２は、広告媒体生成処理の対象となる広告ジャンル情報について、生成した印刷データ、広告の印刷要求とともに、提供品種別を印刷装置３に送信する。印刷装置３の媒体格納部３３には、提供品種別毎に提供品が格納されている。印刷部３１は、管理サーバ１からの印刷要求に応答して、印刷媒体種別「広告用」と提供品種別とを媒体搬送部３２に通知し、媒体搬送部３２は、通知された提供品種別に対応する提供品を媒体格納部３３から取り出して、印刷部３１に搬送する。これにより、利用者が希望する物品に利用者が希望する広告を印刷した広告媒体を生成して、利用者に配布することができる。
【００３２】
また、利用者に提供する物品は、有料でも無料でもよい。例えば、お金を払ってでも品質の良い物品が欲しい利用者についてはクレジットカード番号を登録してもらい、物品を有料で提供してもよい。この場合、例えば、広告登録画面に、図９に示すようにして選択可能な複数の提供品を表示し、さらに、各物品について有料か無料かと、有料の場合の金額等を表示するようにしてもよい。そして、有料の提供品が選択された場合には、クレジットカード番号の入力画面をユーザ端末５に送信し、これに対して入力されたクレジット番号のデータをユーザ情報の一部に含めてユーザ情報ＤＢ１３に登録してもよい。そして、広告媒体生成処理において、有料の物品について広告媒体を生成した場合には、その利用者のユーザ情報からクレジットカード番号を取り出し、クレジットカード番号、その提供品の金額、支払先を特定する情報（支払先口座番号）等を含む決済要求データをクレジット決済を行うコンピュータに対して送信するようにしてもよい。これにより、提供物品の幅を広げることができる。また、広告主が広告情報を本システムに登録する際、広告を有料物品に記載させたい場合にはその旨を指示するようにしてもよい。これに応じて、広告ＤＢ１４に登録される広告情報のうち、有料の物品に付与される広告情報については有料フラグを付与する。そして、利用者が有料の提供品を選択した場合には、管理サーバ１の広告媒体生成部１２は、処理対象の広告ジャンル情報が示すジャンルの広告情報であり、且つ、有料フラグが付与されている広告情報を選択する。また、利用者が無料の提供品を選択した場合には、広告媒体生成部１２は、処理対象の広告ジャンル情報が示すジャンルの広告情報であり、且つ、有料フラグが付与されていない広告情報を選択する。
【００３３】
また、利用者が選択したジャンルの広告であって、さらに利用者の居住する地域に対応する広告を配布するようにしてもよい。この場合、広告ＤＢ１４に登録されている広告情報に広告地域を特定する広告地域情報をさらに付与する。また、記憶部２２は、住所と広告地域を対応付ける住所・地域情報をさらに記憶する。をこの広告地域は、広告主により指定されてもよい。管理サーバ１の広告媒体生成部１２は、広告媒体生成対象の広告ジャンル情報に関連付けられているユーザ情報から住所を取り出し、その住所に対応する広告地域を記憶部２２の住所・地域情報から読み出す。そして、処理対象の広告ジャンル情報が示すジャンルに対応し、且つ、処理対象のユーザ情報の住所に対応する広告地域に対応する、広告情報を広告ＤＢ１４から読み出して印刷データを生成する。これにより、利用者の地域性を掲載広告に反映することができる。
【００３４】
また、上述の広告地域情報と有料フラグを併用してもよい。この場合、利用者に提供される広告は、利用者が指定したジャンルと提供品が有料か無料かと、利用者の居住地域と、に基づいて、該当する広告情報が広告ＤＢ１４から抽出される。これにより、広告を抽出するために、利用者の希望するジャンルと、提供品が有料か無料かと、利用者の地域性と、の３段階のフィルターが用いられるため、広告のターゲットを効果的に絞り込むことができる。
【００３５】
また、利用者が広告配布サービスの中止や登録情報の変更を希望する場合には、管理サーバ１が提供するホームページにアクセスし、ホームページから「サービスの中止」や「登録情報の変更」等を選択してもよい。管理サーバ１は、ユーザＩＤとパスワードの入力を受け付けてそれらを確認した後、サービスの中止の場合には、入力されたユーザＩＤに関連する登録データを削除等してもよく、登録情報の変更の場合には、変更対象の情報の入力を受け付け、入力データでデータベースの登録データを更新するようにしてもよい。
【００３６】
また、広告情報をＦＡＸやメールでユーザに提供するようにしてもよい。この場合、管理サーバ１の制御部２１は、処理対象の広告ジャンルの指定を受け付けると、指定されたジャンルに対応する広告ジャンル情報を含むユーザ情報を、ユーザ情報ＤＢ１３から抽出し、抽出したユーザ情報から宛先情報を取り出して記憶部２２に一旦に記憶する。広告をメールで提供する場合には、例えば、メールアドレスのデータだけ取り出しても良い。また、広告をＦＡＸで提供する場合には、例えば、ＦＡＸ番号のデータだけ取り出しても良い。そして、制御部２１は、上述したように、ユーザ情報における配布日情報に基づいて、広告配布対象となるユーザ情報をユーザ情報ＤＢ１３から抽出する。そして、広告をメールで提供する場合には、抽出したユーザ情報からメールアドレスを取得し、そのメールアドレス宛に、ユーザ情報における広告ジャンル情報が示す広告情報を添付した電子メールを送信する。また、広告をＦＡＸで提供する場合には、抽出したユーザ情報からＦＡＸ番号を取得し、ユーザ情報における広告ジャンル情報が示す広告情報のＦＡＸデータを、取得したＦＡＸ番号宛にＦＡＸ送信する。
【００３７】
また、広告情報の出力サイズは自由に設定可能である。ユーザに提供するポケットティッシュのサイズに応じて、出力される広告情報のサイズを変えられる。
【００３８】
また、提供品についての利用者のコメントをホームページから投稿したり、投稿されたコメントを閲覧できるようにしてもよい。管理サーバ１は、提供品について入力されたコメントを記憶部２２に蓄積記憶し、蓄積されたコメントを表示するコメント閲覧用ウェブページを設けてもよい。また、管理サーバ１が、提供品についてその評価を５段階程度に分けて、投票用のウェブページ上で投票できるようにし、各利用者から入力された投票データを記憶部２２に記憶し、投票数を提供品毎に集計処理し、集計結果を人気商品ランキングとして表示するウェブページを設けてもよい。また、提供品について、製造元、素材、制作者紹介、販売地域、販売店、価格等をウェブページで掲載してもよい。
【００３９】
また、管理サーバ１が、地方自治体のお知らせ、選挙の呼びかけなどの告知、行方不明者の似顔絵等の広告情報を記憶部２２又は他のコンピュータや記録媒体等から読み込んで、読み込んだ広告が印刷された広告媒体を生成し、ユーザ情報ＤＢ１３に登録されている各利用者に対して配布するための処理を行ってもよい。これにより、社会や地域に貢献することができる。
また、管理サーバ１が提供するウェブサイトのアドレスが記載されたポケットティッシュ等の広告媒体の配布方法は任意であり、路上で人が配布してもよく、店舗内に広告媒体を入れたバスケットを設置し、利用者に取らせるようにしてもよい。
【００４０】
本発明による販売活動管理の機能を実現するためのプログラムやデータを記憶した記録媒体としては、具体的には、ＣＤ―ＲＯＭ（―Ｒ／―ＲＷ）、光磁気ディスク、ＤＶＤ―ＲＯＭ、ＦＤ、フラッシュメモリ、メモリカードや、メモリスティック及びその他各種ＲＯＭやＲＡＭ等を用いてもよい。そして、記録媒体を配布し、プログラム等をコンピュータにインストールすることにより、上述の処理を実行する管理サーバ等を構成してもよい。また、インターネット等のネットワーク上のサーバ装置が有するディスク装置に格納しておき、例えば搬送波に重畳してコンピュータにダウンロード等するようにしてもよい。
【図面の簡単な説明】
【００４１】
【図１】本実施形態に係る配布広告管理システムの構成例を示す図である。
【図２】管理サーバのハードウェア構成を示す図である。
【図３】ユーザ情報の一例を示す図である。
【図４】広告登録画面の一例を示す図である。
【図５】広告ジャンル情報の一例を示す図である。
【図６】印刷装置の構成を示す図である。
【図７】情報登録処理を説明するためのフローチャートである。
【図８】広告媒体生成処理を説明するためのフローチャートである。
【図９】広告登録画面の他の例を示す図である。
【符号の説明】
【００４２】
１      管理サーバ
１１    情報登録部
１２    広告媒体生成部
１３    ユーザ情報ＤＢ
１４    広告ＤＢ
１５    送付処理部
２１    制御部
２２    記憶部
２３    入力部
２４    表示部
２５    通信制御部
３      印刷装置
３１    印刷部
３２    媒体搬送部
３３    媒体格納部
３４    印刷物格納部
５      ユーザ端末
【図１】
2006154706.tif 000003
【図２】
2006154706.tif 000004
【図３】
2006154706.tif 000005
【図４】
2006154706.tif 000006
【図５】
2006154706.tif 000007
【図６】
2006154706.tif 000008
【図７】
2006154706.tif 000009
【図８】
2006154706.tif 000010
【図９】
2006154706.tif 000011